(57)【特許請求の範囲】
【請求項１】
三笠鼻緒の台鼻緒用のテープを挿通しうる貫通孔と、重ね鼻緒用のテープを挿通しうる貫通孔が、三笠鼻緒の台鼻緒用のテープと重ね鼻緒用のテープの接合状態に対応して設けられた三笠鼻緒製造用器具の、台鼻緒用テープのための貫通孔に台鼻緒用テープを、重ね鼻緒用テープのための貫通孔に重ね鼻緒用テープを、同じ側から挿通し、それら両テープを反対側から引き出し、両テープの重なった長手縁部およびそれと重なった部分、または両テープの対向した長手縁、を縫い付け、それらを所定の長さに切断し、前記重ね鼻緒用テープで前記縫い付け部を覆って三笠鼻緒基体を形成し、前記縫い付けにより重ね鼻緒用テープで形成された筒の貫通孔に保形用テープを挿入し、重ね鼻緒用テープまたは台鼻緒用テープで形成された筒の貫通孔に紐を通し、前記三笠鼻緒基体を２つに折り曲げ、その折り曲げ部に先緒を取り付けることを特徴とする三笠鼻緒の製造方法。
【請求項２】
ミシン装置と，
２つのテープ巻取りローラーと，
台鼻緒用のテープを挿通しうる貫通孔と、重ね鼻緒用のテープを挿通しうる貫通孔が、台鼻緒用のテープと重ね鼻緒用のテープの接合状態に対応して設けられた、三笠鼻緒製造用器具と，
前記ミシン装置のミシン針を中心にして、前記器具と反対側に接地した切断手段と，
を備えてなる三笠鼻緒の製造装置。
【請求項３】
台鼻緒用のテープを挿通しうる貫通孔と、重ね鼻緒用のテープを挿通しうる貫通孔が、台鼻緒用のテープと重ね鼻緒用のテープの接合状態に対応して設けられた、三笠鼻緒製造用器具。
【請求項４】
三笠鼻緒の重ね鼻緒用のテープを長手中心線上で折り曲げ，
台鼻緒用のテープの一方の長手縁を前記重ね鼻緒用のテープの一方の長手縁に沿わせて、重ね鼻緒用テープの一方の折り曲げ面に当接させた後、当接した箇所を長手方向に縫い付け、または、縫い付けないで、他方の長手縁を反転して回し、重なった重ね鼻緒用のテープの２つの長手縁および台鼻緒用のテープの一方の長手縁を取り巻いて重ね鼻緒用のテープの前記一方の長手縁の反対側の長手縁部を覆い，
前記重なった重ね鼻緒用のテープの２つの長手縁部と台鼻緒用テープの一方の長手縁部とそれら長手縁部を挟んでいる台鼻緒用のテープの部分を長手方向に縫い付けて、重ね鼻緒用テープと台鼻緒用テープを筒状とし，
重ね鼻緒用のテープの筒状を変形させて、そのテープの一部で前記縫目を覆って三笠鼻緒基体を形成し，
前記重ね鼻緒用のテープで形成された筒の貫通孔に保形用テープを挿入し，
前記重ね鼻緒用のテープまたは台鼻緒用のテープで形成された筒の貫通孔に紐を通し，
三笠鼻緒基体を２つに折り曲げ、その折り曲げ部に先緒を取付けてなる，
三笠鼻緒。
【請求項５】
断面がコの字またはＵ字状の第１の貫通孔と、一端を前記第１の貫通孔の平行部の一方に沿った後に折り返し、その一端と前記第１の貫通孔の両先端縁を取り巻いて、他端を第１の貫通孔の他方の変更部の縁部に重ねてなる、断面第２の貫通孔を備えてなり、第１および第２の貫通孔のそれぞれに、三笠鼻緒用テープを挿通させて、６字状に折り畳まれた第２のテープが、２つに折り畳まれた第１のテープの縁部を挟んだ状態で引き出すことを可能としたことを特徴とする請求項１、２および３のいずれかに記載の三笠鼻緒製造用器具。
【請求項６】
重ね鼻緒用のテープと台鼻緒用のテープを互いの長手方向の縁部をずらして重ね、前記台鼻緒用のテープの長手方向一方の縁部を折り返し前記重ね鼻緒用のテープの一方の縁部を巻いて前記重ね鼻緒用のテープの長手方向の一方の縁部に重ねて覆い、その重ねて覆った前記両テープの部分を長手方向に縫い付け、
前記重ね鼻緒用のテープの他方の縁部を前記一方の縁部方向へずらして長手中央部を湾曲させて長手両縁部の間隔を狭め、該両縁部のみを台鼻緒用のテープの長手中央部に重ね、
前記重ね鼻緒用のテープの前記他方の縁部を前記台鼻緒用のテープの長手方向の前記他方の縁部を折り返し前記重ね鼻緒用のテープの前記他方の縁部を巻いて前記重ね鼻緒用のテープの長手方向の前記他方の縁部に重ねて覆い、その重ねて覆った前記両テープの部分を長手方向に縫い付け、
前記重ね鼻緒用のテープの湾曲した長手中央部を押さえてその両翼部で前記縫い付け線を覆って隠して三笠鼻緒基体を形成し、前記両翼部に跨がる幅の保形用のテープを重ね鼻緒用のテープで形成された筒の貫通孔に挿入し、前記重ね鼻緒用のテープまたは第鼻緒用のテープで形成された筒の貫通孔に紐を通し，
前記三笠鼻緒基体を２つに折り曲げ，
その折り曲げ部に先緒を取り付け，
てなる三笠鼻緒。
【請求項７】
長手中央が盛り上がり、長手両端が水平な、重ね鼻緒用のテープを挿入しうる長手貫通孔と、長手中央部が、前記重ね鼻緒用のテープ用の長手貫通孔の水平部と重なり、長手両端部が前記重ね鼻緒用のテープ用の長手貫通孔の両水平部を巻いて重なった、台鼻緒用テープを挿入しうる貫通孔とを有し、他の器具または装置に係止しうる手段を設けたことを特徴とする請求項１、２および３のいずれかに記載の三笠鼻緒製造用器具。
【請求項８】
一方の長手縁部が水平で、かつ、重ね鼻緒用のテープと台鼻緒用のテープを互いの長手方向の縁部をずらして重ね、前記台鼻緒用のテープの長手方向一方の縁部を折り返し前記重ね鼻緒用のテープの一方の縁部を巻いて前記重ね鼻緒用のテープの長手方向の一方の縁部に重ねて覆い、その重ねて覆った前記両テープの部分を長手方向に縫い付けた部分を挿入しうる貫通孔部分と、
その部分に連通し、一方は、湾曲部とその先端に水平部を有する、台鼻緒用のテープと重なって覆って縫い付けられていない重ね鼻緒用のテープの部分を挿入しうる、第１の分岐貫通孔と、他方は先端縁が前記第１の分岐貫通孔の水平部を巻いて重なり、重ね鼻緒用のテープと重なって縫い付けられていない台鼻緒用のテープの部分を挿入しうる第２の分岐貫通孔とを有し、他の器具または装置に係止しうる手段を設けたことを特徴とする請求項１、２および３のいずれかに記載の三笠鼻緒製造用器具。
【請求項９】
重ね鼻緒用テープと台鼻緒用テープのそれぞれを長手中心部で２つに折り曲げ、前記両テープの長手縁を対向させ、その対向した長手縁をジグザグに縫い付けて両テープを結合し、
前記縫い付け部を中心に、重ね鼻緒用テープを上に、台鼻緒用テープをを下にして、前記縫い付けにより形成された両テープの筒の貫通孔を横断面形状を横に偏平に変形して、台鼻緒用テープの上に重ね鼻緒用テープを重ね、重ね鼻緒用テープで前縫い付け部を覆って、三笠鼻緒基体を形成し、
前記重ね鼻緒用テープの横に偏平の貫通孔に保形用テープを挿入し、
前記台鼻緒用テープの貫通孔に紐を挿通し、
前記三笠鼻緒基体を２つに折り曲げ、その折り曲げ部に先緒を取付けてなる、三笠鼻緒。
【請求項１０】
断面形状が偏平のＵ字状の２つの貫通孔が、Ｕ字状の先端縁を近接対向させて設けたことを特徴とする請求項１、２および３のいずれかに記載の三笠鼻緒製造用器具。
【発明の詳細な説明】
【０００１】
【発明の属する技術分野】
この発明は、一般に三笠鼻緒と言われている断面形状が二重ね餅のような鼻緒の製造方法およびそのための器具および装置並びにそれらにより製造された三笠鼻緒に関するものである。
【０００２】
【従来の技術】
三笠鼻緒は重ね鼻緒１、台鼻緒２、保形紙４、紐５および先緒６よりなっている。
従来の三笠鼻緒は、図６（Ａ）に示すように、重ね鼻緒１用のテープ１ａを長手中心線で二つに折り、両端縁部を重ね、その両端縁部を長手方向に縫い付ける。図中矢印が縫い付け箇所を示す。図はテープの幅側の側面を表している。
【０００３】
別に（Ｂ）に示すように、台鼻緒２用のテープ２ａの長手方向の一方の縁部に沿って補助テープ３を縫い付け、（Ｃ）に示すように、補助テープ３を折り返してその先端縁をテープ２ａの縁より突出させる。
補助テープ３は、（Ｂ）に示すように縫い付けないで、テープ２ａの縁よりも補助テープ３の長手方向の一方の縁が突出した状態で、他方の縁部をテープ２ａの縁部に重ねて縫い付けることもできるが、先ず（Ｂ）の状態に重ねて縫い付ける方が、縫い付け作業が容易であるので、この方法が採用されている。
【０００４】
次いで、（Ｄ）に示すように、（Ａ）に示すテープ１ａの重ねた端縁部に、（Ｃ）に示す補助テープ３の先端縁部を重ねて、それらの重なった先端縁部を矢印の箇所で長手縁に沿って縫い付ける。
【０００５】
次いで（Ｄ）の状態のテープ２ａの開放縁、すなわち、補助テープ３を縫い付けてない縁、を点線の矢印に示すように回転させ、テープ２ａで補助テープ３とテープ１ａの縫い付け端部を覆い、（Ｅ）に示すように、テープ２ａの開放縁を、テープ１ａの重なった縁部のうち、補助テープ３が重なっていない縁部の面に重ね、テープ１ａの両縁部と補助テープ３と、補助テープ３を覆うテープ２ａの部分とが重なった矢印の位置を長手方向に縫い付ける。
【０００６】
次いで、（Ｅ）の状態のテープ１ａの折り曲げ縁を点線の矢印方向に回転させて立て、その頂点を第鼻緒２の方向に押すと、テープ１ａの一部で縫い目を覆い、（Ｆ）に示すように断面が重ね餅の状態の三笠鼻緒基体となる。テープ１ａが（Ｆ）の状態から（Ｅ）の状態に戻らないように、すなはち、（Ｆ）の状態を維持するように、テープ１ａで形成された扁面の筒１ｂ内に保形紙４を挿入する。
【０００７】
（Ｆ）の状態のテープ１ａまたはテープ２ａにより形成された偏平の筒内に紐５を通し、台鼻緒２を内側にして三笠鼻緒基体を２つに折り曲げ、その折り曲げ部に先緒６を取り付け三笠鼻緒を完成している。
【０００８】
【発明が解決しようとする課題】
上記従来の三笠鼻緒の製造には、テープ１、２および補助テープ３との端縁を重ねるのが面倒で、手数がかかり、縫い付け工程が４工程必要で、端縁を合わせながらの縫い付けるには大変な熟練が必要で、しかも時間がかかる。従って最近はそのような熟練者が少なくなって、供給量が制約され、コストも高くなっている。
【０００９】
この発明は、熟練を必要とせずに容易に短時間に、従って低コストで大量に製造できる三笠鼻緒の製造方法、およびその際に用いる器具および装置並びにそれらにより製造された三笠鼻緒を提供することを目的とする。
【００１０】
【課題を解決するための手段】
三笠鼻緒の台鼻緒用のテープを挿通しうる貫通孔と、重ね鼻緒用のテープを挿通しうる貫通孔が、三笠鼻緒の台鼻緒用のテープと重ね鼻緒用のテープの接合状態に対応して設けられた三笠鼻緒製造用器具の、台鼻緒用テープのための貫通孔に台鼻緒用テープを、重ね鼻緒用テープのための貫通孔に重ね鼻緒用テープを、同じ側から挿通し、それら両テープを反対側から引き出し、両テープの重なった長手縁部およびそれと重なった部分、または両テープの対向した長手縁、を縫い付け、それらを所定の長さに切断し、前記重ね鼻緒用テープで前記縫い付け部を覆って三笠鼻緒基体を形成し、前記縫い付けにより重ね鼻緒用テープで形成された筒の貫通孔に保形用テープを挿入し、重ね鼻緒用テープまたは台鼻緒用テープで形成された筒の貫通孔に紐を通し、前記三笠鼻緒基体を２つに折り曲げ、その折り曲げ部に先緒を取り付け、三笠鼻緒を製造する。
【００１１】
ミシン装置と，
２つのテープ巻取りローラーと，
台鼻緒用のテープを挿通しうる貫通孔と、重ね鼻緒用のテープを挿通しうる貫通孔が、台鼻緒用のテープと重ね鼻緒用のテープの接合状態に対応して設けられた、三笠鼻緒製造用器具と，
前記ミシン装置のミシン針を中心にして、前記器具と反対側に接地した切断手段と，
で三笠鼻緒の製造装置を構成する。
【００１２】
三笠鼻緒製造用器具として、台鼻緒用のテープを挿通しうる貫通孔と、重ね鼻緒用のテープを挿通しうる貫通孔が、台鼻緒用のテープと重ね鼻緒用のテープの接合状態に対応して設けたものを用いる。
【００１３】
三笠鼻緒の重ね鼻緒用のテープを長手中心線上で折り曲げ，  台鼻緒用のテープの一方の長手縁を前記重ね鼻緒用のテープの一方の長手縁に沿わせて、重ね鼻緒用テープの一方の折り曲げ面に当接させた後、当接した箇所を長手方向に縫い付け、または、縫い付けないで、他方の長手縁を反転して回し、重なった重ね鼻緒用のテープの２つの長手縁および台鼻緒用のテープの一方の長手縁を取り巻いて重ね鼻緒用のテープの前記一方の長手縁の反対側の長手縁部を覆い，
前記重なった重ね鼻緒用のテープの２つの長手縁部と台鼻緒用テープの一方の長手縁部とそれら長手縁部を挟んでいる台鼻緒用のテープの部分を長手方向に縫い付けて、重ね鼻緒用テープと台鼻緒用テープを筒状とし，
重ね鼻緒用のテープの筒状を変形させて、そのテープの一部で前記縫目を覆って三笠鼻緒基体を形成し，
前記重ね鼻緒用のテープで形成された筒の貫通孔に保形用テープを挿入し，
前記重ね鼻緒用のテープまたは台鼻緒用のテープで形成された筒の貫通孔に紐を通し，
三笠鼻緒基体を２つに折り曲げ、その折り曲げ部に先緒を取付けて，
三笠鼻緒を構成する。
【００１４】
三笠鼻緒製造用器具として、断面がコの字またはＵ字状の第１の貫通孔と、一端を前記第１の貫通孔の平行部の一方に沿った後に折り返し、その一端と前記第１の貫通孔の両先端縁を取り巻いて、他端を第１の貫通孔の他方の変更部の縁部に重ねてなる、断面第２の貫通孔を備えてなり、第１および第２の貫通孔のそれぞれに、三笠鼻緒用テープを挿通させて、６字状に折り畳まれた第２のテープが、２つに折り畳まれた第１のテープの縁部を挟んだ状態で引き出すことを可能としたものを用いる。
【００１５】
重ね鼻緒用のテープと台鼻緒用のテープを互いの長手方向の縁部をずらして重ね、前記台鼻緒用のテープの長手方向一方の縁部を折り返し前記重ね鼻緒用のテープの一方の縁部を巻いて前記重ね鼻緒用のテープの長手方向の一方の縁部に重ねて覆い、その重ねて覆った前記両テープの部分を長手方向に縫い付け、
前記重ね鼻緒用のテープの他方の縁部を前記一方の縁部方向へずらして長手中央部を湾曲させて長手両縁部の間隔を狭め、該両縁部のみを台鼻緒用のテープの長手中央部に重ね、
前記重ね鼻緒用のテープの前記他方の縁部を前記台鼻緒用のテープの長手方向の前記他方の縁部を折り返し前記重ね鼻緒用のテープの前記他方の縁部を巻いて前記重ね鼻緒用のテープの長手方向の前記他方の縁部に重ねて覆い、その重ねて覆った前記両テープの部分を長手方向に縫い付け、
前記重ね鼻緒用のテープの湾曲した長手中央部を押さえてその両翼部で前記縫い付け線を覆って隠して三笠鼻緒基体を形成し、前記両翼部に跨がる幅の保形用のテープを重ね鼻緒用のテープで形成された筒の貫通孔に挿入し、前記重ね鼻緒用のテープまたは第鼻緒用のテープで形成された筒の貫通孔に紐を通し，
前記三笠鼻緒基体を２つに折り曲げ，
その折り曲げ部に先緒を取り付け，
て三笠鼻緒を形成する。
【００１６】
三笠鼻緒製造用器具として、長手中央が盛り上がり、長手両端が水平な、重ね鼻緒用のテープを挿入しうる長手貫通孔と、長手中央部が、前記重ね鼻緒用のテープ用の長手貫通孔の水平部と重なり、長手両端部が前記重ね鼻緒用のテープ用の長手貫通孔の両水平部を巻いて重なった、台鼻緒用テープを挿入しうる貫通孔とを有し、他の器具または装置に係止しうる手段を設けたものを用いる。
【００１７】
三笠鼻緒製造用器具として、一方の長手縁部が水平で、かつ、重ね鼻緒用のテープと台鼻緒用のテープを互いの長手方向の縁部をずらして重ね、前記台鼻緒用のテープの長手方向一方の縁部を折り返し前記重ね鼻緒用のテープの一方の縁部を巻いて前記重ね鼻緒用のテープの長手方向の一方の縁部に重ねて覆い、その重ねて覆った前記両テープの部分を長手方向に縫い付けた部分を挿入しうる貫通孔部分と、
その部分に連通し、一方は、湾曲部とその先端に水平部を有する、台鼻緒用のテープと重なって覆って縫い付けられていない重ね鼻緒用のテープの部分を挿入しうる、第１の分岐貫通孔と、他方は先端縁が前記第１の分岐貫通孔の水平部を巻いて重なり、重ね鼻緒用のテープと重なって縫い付けられていない台鼻緒用のテープの部分を挿入しうる第２の分岐貫通孔とを有し、他の器具または装置に係止しうる手段を設けてたものを用いる。
【００１８】
重ね鼻緒用テープと台鼻緒用テープのそれぞれを長手中心部で２つに折り曲げ、前記両テープの長手縁を対向させ、その対向した長手縁をジグザグに縫い付けて両テープを結合し、
前記縫い付け部を中心に、重ね鼻緒用テープを上に、台鼻緒用テープをを下にして、前記縫い付けにより形成された両テープの筒の貫通孔を横断面形状を横に偏平に変形して、台鼻緒用テープの上に重ね鼻緒用テープを重ね、重ね鼻緒用テープで前縫い付け部を覆って、三笠鼻緒基体を形成し、
前記重ね鼻緒用テープの横に偏平の貫通孔に保形用テープを挿入し、
前記台鼻緒用テープの貫通孔に紐を挿通し、
前記三笠鼻緒基体を２つに折り曲げ、その折り曲げ部に先緒を取付けて、
三笠鼻緒を形成する。
【００１９】
三笠鼻緒製造用器具として、断面形状が偏平のＵ字状の２つの貫通孔が、Ｕ字状の先端縁を近接対向させたものを用いる。
【００２０】
【発明の実施の形態】
この発明の実施の形態を図面により説明する。
図２（Ａ）に示すように、重ね鼻緒１のためのテープ１ａを、長手中心線で２つに折り曲げて、長手両端縁部を重ねる。
テープ１は、天然または合成繊維の織地、プラスチックシート、ゴムシート、レザー等のいずれかよりなる。
【００２１】
次いで、台鼻緒２のためのテープ２ａの一方の長手縁を、前記２つに折り曲げたテープ１ａの一方の長手縁（図２（Ａ）において下方）の縁に合わせて重ね、他方の長手縁を反転させ、該長手縁を前記一方の長手縁よりも突出させて重ねて（Ａ）に示す状態とし、矢印で示す位置で長手方向に縫い付ける。
テープ２も、天然または合成繊維の織地、プラスチックシート、ゴムシート、レザー等のいずれかよりなる。
【００２２】
次いで、（Ｂ）に示すように、（Ａ）に示すテープ２ａの突出縁部を、テープ１ａの両長手縁部およびテープ２ａの一方の長手縁部の長手縁を取り巻いてテープ１ａの上方（図において）の面に当接させ、テープ１ａの両長手縁部と、それに重なったテープ２ａの重なった箇所、すなわち、図２（Ｂ）において対向する矢印で示した箇所で長手に１列縫い付ける。これにより、テープ１ａとテープ２ａとが筒を形成する。１ｂ、２ｂはその貫通孔である。
【００２３】
次いで（Ｃ）に示すように、テープ１ａの折り曲げ縁を上にし、長手方向の頂部、すなわち、折り曲げ縁をテープ２ａで形成された筒方向に押して、上方（図において）に重なったテープ１ａの長手縁および縫い付け線を覆うと、（Ｄ）に示すように、テープ２ａにより形成された偏平の筒状の台鼻緒２の上に、偏平の筒状の重ね鼻緒１が重なった細長い三笠鼻緒基体が出来る。
【００２４】
図２（Ｄ）においては、三笠鼻緒基体は、重ね鼻緒１の幅を台鼻緒２の幅よりも狭くしているが、重ね鼻緒１と台鼻緒２の幅を同じにしてもよい。
【００２５】
上記三笠鼻緒基体のテープ１ａの貫通孔１ｂに保形紙４を挿入し、テープ１の貫通孔１ｂまたはテープ２ａの貫通孔２ｂに紐５を通し、三笠鼻緒基体を２つに折り曲げ、その折り曲げ部に先緒６を取り付けると、三笠鼻緒が完成する。
この三笠鼻緒基体の折り曲げおよび先緒の取付方法は従来の方法と変わらない。
【００２６】
上記（Ａ）の工程においては、矢印の位置での縫い付けを省略し、（Ｂ）の工程に於ける矢印の位置での縫い付けのみとしてもよい。
【００２７】
各図においては、説明の為にテープ１ａおよびテープ２ａの厚みを厚く表示したが、実際には薄い厚みのものを使用する。
【００２８】
テープ１ａとテープ２との長手方向の折り曲げ、各長手縁部の重ねおよびその縫い付け、図２（Ａ）に示す状態の作業を容易にするために、次に説明する器具および装置を使用するとよい。
【００２９】
図３に示す器具７は、図２の（Ａ）において縫い付け前のテープ１ａと２ｂとの重ねた状態を自動的に形成するためのものである。
【００３０】
器具７に、図３に示すように、断面「コ」の字状の貫通孔８を有する偏平な筒９と断面「６」字状の貫通孔１０を有する筒１１とよりなる。筒９は貫通孔８の「コ」字両端側を筒１１の「６」字の上方線部と下部の円形との間に挿入し、「６」字の上方線部と下部の円形とで挟み、筒９と筒１１との当接部で接着または溶接して固定している。器具７は金属または合成樹脂で形成する。
【００３１】
図４は他の実施の形態の器具７ａを示す。器具７の筒９に対応する、偏平のＵ字型部材９ａの内部をＵ字の内部底と間隔をおいて隔板１２で仕切る。
器具７の筒１１に対応する偏平な６字型部材１１ａは、６字の上部線部と下部の変形円部でＵ字型部材９ａのＵ字型の両先端部を挟み、該両先端を６字の垂直部に接着または溶接等で固定し、６字の下部は、６字の垂直部に端縁を接着または溶接等固定した隔板１３の上記固定縁の反対側の縁が開放していて、連通している。そして、６字の垂直部およびほぼ水平の上方部分の中は６字の下部と連通し、それらにより連通した６字状の貫通孔１０ａを形成する。
Ｕ字型部材９ａと６字型部材とは当接部分を接着、溶接等の方法で固定する。
【００３２】
この器具７および７ａは次のように使用する。
貫通孔８または８ａの一方の開口からテープ１ａの端部を挿入し、同時に同方向から貫通孔１０または１０ａにテープ２ａの端部を挿入し、それらを他方の開口から共に引き出すと、テープ１ａと２ａとは図２の（Ｂ）に示す状態に重ねられている。それを（Ｂ）に対向する矢印の箇所で長手方向に１列縫い付け、所定の長さに切断する。図２（Ｃ）を経て（Ｄ）の状態とし、保形紙４および紐５を通す。
【００３３】
上記縫い付け、保形紙の挿入および切断を次の三笠鼻緒製造装置を使用することによりそれら作業を容易にし、作業時間を短縮することが出来る。
【００３４】
その装置は、ミシン１４のミシン針１５および布送り装置１６の手前に器具７または７ａを固定し、器具７または７ａを中心にしてミシン針１５と反対側にテープ１ａの巻取りローラー１７、テープ２ａの巻取りローラー１８および保形紙４の巻取りローラー１９を設け、布送り装置１６の先方に切断装置２０を設けたものである。
【００３５】
この装置は次のとおり使用する。
巻取りローラー１７からテープ１ａを引き出し、その先端を器具７または７ａの貫通孔８または８ａへ挿通してミシン針側へ出し、同じく巻取りローラー１８よりテープ２ａを引き出してその先端を器具７または７ａの貫通孔１０または１０ａへ、上記テープ１ａを挿入した側と同方向から、挿入して反対側へ出し、巻取りローラー１９より保形紙４を引き出し、その先端を上記テープ１ａと同方向から貫通孔８または８ａに挿入して反対側へ出す。
【００３６】
器具７または７ａの貫通孔８、１０または８ａ、１０ａにテープ１ａおよび２ａを挿入するのを容易にするために、テープの挿入側の開口を出口よりも広くする、すなわち、テープの厚みよりも充分広くするのが好ましい。
また、最初にテープ１ａおよび２ａを貫通孔に挿入するのを容易にするために、それらの先端を糊で固める等先端を硬くして貫通孔に挿入するのが好ましい。
【００３７】
器具７または７ａより出たテープ１ａ、２ａは、図２（Ｂ）の状態で重なり、かつ、保形紙４が貫通孔２ｂに入った状態となっている。
図２（Ｂ）の対向する矢印の位置をミシン針１５の所へ持って行き、ミシン掛けすると布送り装置１６がミシン掛けしたテープ１ａ、２ａおよび保形紙４を切断装置２０の方へ送り、従って、テープ１ａ、２ａが図２（Ａ）に示す重なった状態で、かつ、保形紙４が貫通孔１ａに入った状態で、連続して器具７または７ａより引き出されミシン掛けされる。
切断装置２０は送られて来たものを所定の長さに切断する。
【００３８】
切断されたものを図２（Ｃ）および（Ｄ）について先に説明した要領で、（Ｃ）のテープ１ａのテープ２ａへの重なり状態から（Ｄ）の状態へ変え、貫通孔１ｂまたは２ｂに紐を通し、それをで折り曲げ、その折り曲げ部に先緒６を取り付けると三笠鼻緒が出来上がる。
【００３９】
この装置において、保形紙４のための巻取りローラー１９の保形紙４を、道具７または７ａを通さないで、切断装置２０で切断された後に図２（Ｃ）または（Ｄ）の状態にされた三笠鼻緒基体に保形紙４を挿入し、保形紙４を所定の長さに切断してもよく、或いは保形紙４を所定の長さに切断後三笠鼻緒基体に挿入してもよい。
【００４０】
テープ１とテープ２との重ね部分が厚くならないように、テープ２ａには従来の鼻緒と同じく、薄い補助テープ３をテープ２ａに取付け、それを器具７または７ａの貫通孔１０または１０ａに挿入し、貫通孔８または８ａより出たテープ１と、図６（Ｅ）に示すような重なった状態にして、ミシンで縫い付けてもよい。
【００４１】
この発明の他の実施の形態を図面により説明する。
天然または合成繊維の織地、プラスチックシート、ゴムシート、レザー等よりなるテープ２１で重ね鼻緒を、テープ２３で台鼻緒を、図８に示す工程で組み合わせる。
【００４２】
すなわち、（Ａ）に示すように、テープ２１とテープ２２とを長手方向に、テープ２２の縁部２２ａをテープ２１の縁端より突出させてずらせて重ねた後、テープ２２の縁部２２ａを上方へ折り返してテープ２１の縁部２１ａに重ね、テープ２２８でテープ２１の縁部２１ａを挟み、その挟んだ部分を長手方向に縫い付ける。矢印は縫付け位置を示し、２３は縫糸である。
【００４３】
次いで、（Ｂ）に示すように、テープ２１７の他方の縁部２１ａをテープ２２の長手中心線方向にずらし、その縁部２１７ａの縁端よりもテープ２２の縁部２２ａを突出させる。これによりテープ２１の長手中央部２１ｂが盛り上がり湾曲する。
【００４４】
次いで、（Ｃ）に示すように、前記縁部２１ａの縁端よりも突出しているテープ２１の縁部２２ａを上方へ折り返してテープ２１の縁部２１ａに重ね、テープ２２で縁部２１ａを挟み、その挟んだ部分を長手方向に縫い付ける。矢印は縫付け位置を示し、２３は縫糸である。
図９はテープ２１と２２とが固定した状態の要部斜視図である。
【００４５】
上記工程によりテープ２１とテープ２２との固定が終わると、（Ｄ）に示すように、テープ２１の長手中央部２１ｂをテープ２２方向（矢印方向）に押して、長手中心線の外方向へ両翼を拡げ、その翼部２１ｃ、２１ｃで縫糸２３，２３を覆って隠す。
次いで、所定の長さに切断する。これにより三笠鼻緒基体が形成される。
【００４６】
最後に、（Ｅ）に示すように、押し下げられた長手中央部２１ｂの中に、翼部２１ｃ、２１ｃにまたがる幅の保形用のテープ２４を挿入し、長手中央部２１ｂが元の状態に膨れ上がるのを防止する。
上記（Ｄ）の工程で切断しないで、テープ２４を挿入した後に所定の長さに切断してもよい。
紐２５をテープ２４の上下いずれかに挿入する。これにより鼻緒本体２６が形成される。
テープ２４は、レザー、プラスチック、ゴム、紙等のものを用いる。
【００４７】
上記工程で出来上がった鼻緒本体２６を２つに折り曲げ、その折り曲げ部に先緒２７を取り付けると図７に示す三笠鼻緒２８が完成する。
【００４８】
前記工程において（Ｃ）の状態にするための前工程は、（Ａ）および（Ｂ）の工程に限定するものではない。例えば図１０に示すようにすることができる。
すなわち、図８の（Ａ）工程の代わりに図１０の（Ａ）および（Ｂ）工程を採用してもよい。
図１０の（Ａ）工程においては、テープ２１の縁部２１ａとテープ２２の縁部２２ａとを対向させた後重ねて、その重ねた部分を長手方向に縫い付ける。
次いで（Ｂ）に示すように、テープ２２を折り返してテープ２１の下に重ねる。
次いで図８の（Ｂ）工程およびそれ以後の工程に移る。
【００４９】
前三笠鼻緒基体の製造工程の作業を容易にするために図１１に示す器具２９を用いるのが好ましい。
図に示す器具２９は拡大したものである。
【００５０】
器具２９は、金属またはプラスチックよりなる。
器具２９は、中央が山形に盛り上がり、両端縁部が水平で同一平面上に平行に位置する部材３０と、部材３０を載置し、両端縁部で上方へ折り返して部材３０の両端縁部を巻いて覆ってなる部材３１とで構成しており、部材３０は、２枚のパネルを平行にし、かつ、同じように曲げ、互いの両端縁を連結した貫通孔３２を有し、部材３１も、２枚のパネルを平行にし、かつ、同じ用に曲げ、互いの両端縁を連結して貫通孔３３を有している。
部材３０と３１とは溶接、一体成形等により一体とする。
【００５１】
部材３１の両側部には他の器具、例えばミシン装置に固定するための係止片３４、３４を設ける。
【００５２】
この器具２９は次のように使用する。
すなわち、器具２９を係止片３４、３４で、２本のミシン針３８を設けたミシン装置３７のミシン針３８の手前に固定し、ミシン針３８の反対側から、テープ２１を、部材３０の貫通孔３２に、テープ２２を部材３１の貫通孔３３に挿通し、反対側の開口から引き出すと、その状態は、図８の（Ｃ）の状態において縫い付けていない状態と同一のものになっている。
テープ２１の両縁部２１ａ、２１ａをテープ２２で挟んだ部分を、ミシン針３８で縫付けて行く。この際ミシン針３８の運進により順次テープ２１および２２が引き出される。
【００５３】
上記縫い付けたものを切断機４０で所定の長さに切断し、図８の（Ｄ）および（Ｅ）の工程を経て三笠鼻緒本体２６を完成させる。
【００５４】
ミシン針が１本のミシン装置を用いるための器具は図１２に示す器具３５を用いるのが好ましい。
器具３５は、器具２９の部材３０の貫通孔３３により取り巻かれた一方の水平の部分を取り除いた部材３０ａと、器具２９の部材３１の部材３０の取り除いた縁部に当接していた部分を取り除いた部材３１ａを接合し、部材３０ａの貫通孔３２ａと、部材３１ａの貫通孔３３ａとを連通させたものである。
【００５５】
器具３５は、器具２９と同様に、１本のミシン針３８ａの運針方向に反対側でミシン針３８ａに一方の開口を対向させてミシン装置３７ａに係止片３４、３４で固定する。
【００５６】
器具３５の使用に際しては、予め、テープ２１とテープ２２とを図８の工程（Ａ）、図１０の工程（Ｂ）を終えて縫い付けたものを用いる。
【００５７】
器具３５のミシン針３８ａの反対側の開口からミシン針３８ａ側の開口方向へ、テープ２１の縁部をテープ２２の縁部に巻き縫い付けた部分を貫通孔３１ａと３３ａとの連通部分へ、テープ２１とテープ２２を縫い付けてないそれぞれの縁部を貫通孔３１ａと３３ａとに挿入し、それらを器具３５のミシン針３８ａ側の開口から引き出し、テープ２１の縫い付けていない方の縁部をテープ２２の縁部２２ａで巻いた部分を長手方向にミシン針３８ａで縫い付ける。この際ミシン針３８ａによる運進で布送り装置３９により順次テープ２１とテープ２２とが図８の（Ｃ）の状態で係合して引き出され、順次縫い付けられる。
【００５８】
上記縫い付けられたものを所定の長さに切断機４０で切断し、図２の（Ｄ）および（Ｅ）の工程を経て、三笠鼻緒本体２６が完成する。
【００５９】
器具２９を用いる場合には、図１３に示すように、ローラー３６ａに巻き取ったテープ２１を引き出し、ローラー３６ｂに巻き取ったテープ２２を引き出し、ミシン装置３８に固定した器具２９の貫通孔３２にテープ２１の先端を挿通し、貫通孔３３にテープ２２の先端を挿通して、それらをミシン針３８側の開口より引き出し、布送り装置３９を介してミシン針３８の下へ出すのが好ましい。
【００６０】
器具３５の上記使用に際しては、図８の（Ａ）工程、図１０の（Ａ）および（Ｂ）工程を終えて縫い付けられたテープ２１およびテープ２２を、予めローラー３６に巻き取って、それを引き出して使用するのが好ましい。
【００６１】
他の実施の形態の三笠鼻緒の製造工程を図１５により説明する。
【００６２】
先ず、（Ａ）に示すように、台鼻緒用のテープ４１の両長手縁部４１ａ、４１ａを上方へ折り返してそれらの長手縁間に間隔をおいて重ねる。
【００６３】
次いで、（Ｂ）に示すように、重ね鼻緒用のテープ４２の両長手縁部４２ａ、４２ａを長手中心線方向にずらして長手中央部に膨出部４２ｂを形成する。膨出部４２ｂの下端間、すなわち、両長手縁部４２ａ、４２ａ間に間隔をおく。
両長手縁部４２ａ、４２ａをテープ４１の両長手縁部４１ａ、４１ａの上に重ねる。
【００６４】
次いで、（Ｃ）に示すように、重ねられたテープ４２の両長手縁部４２ａとテープ４１の両長手縁部４１ａと、その下方のテープ４１の部分を、矢印の位置で長手方向に縫い付ける。図中４３は縫糸を示す。
【００６５】
次の工程では、（Ｄ）に示すように、膨出部４２ｂをテープ４１方向へ押さえ、上記縫い付けにより形成されたテープ４２の貫通孔を下方へ押して、長手中心線の外方向へ両翼４２ｃ、４２ｃを拡げ、その両翼４２ｃ、４２ｃでテープ４２の両長手縁部４２ａおよび縫糸４３を覆う。
【００６６】
次の工程では、（Ｅ）に示すように、先の工程で押さえて出来た両翼４２ｃ、４２ｃに跨がる幅の保形用のテープ４４を、押さえられた膨出部４２内に挿入する。テープ４４は、布、紙、レザー、プラスチック、ゴム等のものを用いる。
テープ４２内でテープ４４の上下いずれか、またはテープ４１内の中心線に紐４５を挿入する。
【００６７】
上記工程により、三笠鼻緒本体が完成する。
その三笠鼻緒本体を２つに折り曲げ、その折り曲げ部に先緒を取り付けると三笠鼻緒が完成する。
【００６８】
上記工程での三笠鼻緒基体の製造を容易にするために図１６に示す器具４６を用いるのが好ましい。
【００６９】
器具４６は、長手外方向で両側を折り返して下方と平行に重ねた断面コの字状部分をその先端縁を間隔を置いて対向させ、双方の下方の先端を連通させてなり、テープ４１を挿通して、図１５に示す工程における（Ａ）工程によるテープ４１の状態で挿通することを可能とする透孔４７と、それら透孔４７の上方の２つの折り返し部の上方に重ねた部分と、その部分の内側縁で立ち上がり山形に湾曲した部分とが連通して、テープ４２を挿通して図１５の（Ｂ）工程のテープ４２の状態にすることを可能とする透孔４８を有する。
【００７０】
器具４６は、図１３に示す装置で器具２９と取り替えて使用する。すなわち、器具４６の透孔４７にテープ４１を挿入し、同時に、同方向から透孔４８にテープ４２を挿入し、反対の開口からテープ４１とテープ４２を同時に引き出すと、テープ４１と４２とは図１５の（Ｂ）工程の状態で重なって出て来る。そこで、その出口で（Ｃ）工程に示す箇所を２本のミシン針でミシン掛けする。このミシン掛けにより布送り装置により自動的にテープ４１と４２を引き出す。ミシン掛けしたものを、所定の長さに切断し、（Ｄ）および（Ｅ）工程を経て三笠鼻緒本体を形成し、それを２つ折りにして先緒を取り付けて三笠鼻緒を完成する。
【００７１】
１本のミシン針でミシン掛けする場合には、図１７に示す工程を経て三笠鼻緒体を製造する。すなわち、先ず（Ａ）工程において、台鼻緒用のテープ４１の一方の長手縁を折り返して重ねる。
【００７２】
次の工程（Ｂ）では、（Ａ）工程によるテープ４１の折り返し長手縁部４１ａの上に重ね鼻緒用のテープ４２の一方の長手縁部４２ａを、その端縁をテープ４２の折り返し縁の方向に向けて重ね、重なった長手縁部４２ａ、４１ａとその下方のテープ４１の部分を矢印で示す位置で長手方向に縫い付ける。
４３は縫糸を示す。
【００７３】
次の工程（Ｃ）では、テープ４１の先の工程で折り返してない方の長手縁部４１ａを折り返して重ね、テープ４２の縫い付けてない方の長手縁部４２ａを縫い付けてある方の長手縁部４２ａの方向にずらし、テープ４２の長手中央部を山形にして膨出部４２ｂを形成し、新たに重なった長手縁部４１ａ、４２ａおよびその下方のテープ４１の部分を矢印で示す位置で長手方向に縫い付ける。
４３は縫糸を示す。
【００７４】
次いで図１５に示す（Ｄ）および（Ｅ）工程を経て三笠鼻緒本体を完成する。
【００７５】
図１７に示す（Ａ）、（Ｂ）、（Ｃ）工程の作業を容易にするために、図１８に示す器具４９を使用するのが好ましい。
【００７６】
器具４９は、器具４６における貫通孔４７の一方の側方、すなわち、テープ４１の端縁部の折り返し部のための湾曲部で、上下に隔てる境界縁５０と、貫通孔４７と貫通孔４８との境を取り除いた貫通孔合流部５１を形成し、全体の貫通孔が、貫通孔合流部４１より貫通孔３７と３８とに分岐した構成にしたものである。
【００７７】
器具４９を使用する場合には、図１７の（Ｂ）工程を終えたテープ４１とテープ４２の縫い付け部を器具４９の貫通孔合流部５１に挿入し、それに続くテープ４１を分岐した貫通孔３７に、テープ４２を分岐した貫通孔３８に挿入し、反対側の開口よりテープ４１と４２を引き出すと、縫い付けてない方のテープ４１と４２の長手縁部が（Ｃ）工程の状態に重なっているので、矢印の位置で長手方向に縫い付け、後は図１５の（Ｄ）および（Ｅ）工程を経て三笠鼻緒本体を完成する。
【００７８】
三笠鼻緒本体の他の実施の形態を図１９に示す工程により説明する。
【００７９】
先ず、（Ａ）工程において、台鼻緒用のテープ４１と重ね鼻緒用のテープ４２のそれぞれを長手方向に２つに折り重ね、テープ４１とテープ４２の長手縁を対向させる。テープ４１とテープ４２の幅は同じか、またはテープ４１の幅の方をテープ４２の幅の方よりも広くする。
テープ４１とテープ４２とは、長手中心線で折り曲げてもよく、または、少しずらして折り曲げてもよい。ずらした場合には、テープ４１とテープ４２の長手縁部が重なるように対向させる。
【００８０】
次の工程（Ｂ）において、対向したテープ４１とテープ４２の長手縁部をジクザクに縫い付ける。
５２は縫糸を示す。
【００８１】
次の工程（Ｃ）において、（Ｂ）工程で縫い付け連結したテープ４２を上に、テープ４１を下にし、テープ４１とテープ４２の折り曲げ縁を縫糸５２方向に押圧して前記折り曲げ縁を伸ばし、両テープ４１およびテープ４２を幅方向に拡げて両テープを重ねる。これにより縫い糸５２と両テープの対向縁はテープ４２に覆われて隠れる。
【００８２】
次の工程（Ｄ）においては、テープ４１とテープ４２を所定の長さに切断し、テープ４２で形成された貫通孔の中へ保形用のテープ５３を、テープ４１で形成された貫通孔の中へ紐５４を挿入することにより三笠鼻緒本体を形成する。
【００８３】
図１９の（Ａ）および（Ｂ）の工程の作業を容易にするために図２０に示す器具５５を使用するのが好ましい。
【００８４】
器具５５は、テープ４１を挿通しうる、断面Ｕ字状の長手貫通孔５６と、テープ４２を挿通しうる、断面Ｕ字状の長手貫通孔５７とを、それぞれのＵ字の先端を対向させた状態に設け、その長手側縁にミシン装置や他の装置または器具に固定するための係止具５８を設けたものである。
【００８５】
器具５５は次のように使用する。
すなわち、貫通孔５６の一方の開口からテープ４１を挿入し、同じ側の貫通孔５７の開口からテープ４２を挿入し、それぞれの貫通孔５６、５７の反対側の開口からテープ４１とテープ４２を一緒に引き出すと、テープ４１とテープ４２とはそれぞれ長手方向に折り曲げられ、先端縁を対向している。すなわち、（Ａ）工程を終えている。
【００８６】
次いでテープ４１とテープ４２との対向縁部をジグザクミシンで縫い付け、（Ｂ）工程を終える。
【００８７】
次いで図１９の（Ｃ）および（Ｂ）工程を経て三笠鼻緒本体を形成し、その三笠鼻緒基体を２つに折り曲げ、その折り曲げ部に先緒を取り付けて三笠鼻緒が完成する。
【００８８】
器具５５を用いた三笠鼻緒の製造装置としては、図１３に示す装置で、器具２９の代わりに器具５５を用い、ミシン３７の代わりにジグザグミシンを用い、ローラー３６ａにテープ４１を、ローラー３６ｂにテープ４２を巻き付けたものを使用する。
【００８９】
【発明の効果】
この発明に係る三笠鼻緒の製造方法は、自動連続的に三笠鼻緒を製造できるので、熟練を必要とせず誰でも容易にでき、従来の製造に比べて格段の短時間および安いコストで大量に製造することを可能とする。
また、この発明に係る器具は上記製造を容易にする。
この発明に係る製造方法により、また、この発明に係る器具を使用して製造した三笠鼻緒は、品質が一定し、コストの安いものである。
【図面の簡単な説明】
【図１】三笠鼻緒の斜視図である。
【図２】この発明に係る三笠鼻緒本体の製造工程の説明図である。
【図３】この発明に係る三笠鼻緒製造のための器具の斜視図である。
【図４】この発明に係る三笠鼻緒製造のための他の実施の形態の器具の斜視図である。
【図５】この発明に係る三笠鼻緒の製造装置の説明図である。
【図６】従来の三笠鼻緒本体の製造方法の工程説明図である。
【図７】この発明に係る三笠鼻緒の斜視図である。
【図８】この発明に係る三笠鼻緒本体の他の製造工程の説明図である。
【図９】この発明に係る三笠鼻緒本体の製造工程の中間工程における２つのテープの結合状態の説明図である。
【図１０】この発明に係る三笠鼻緒本体の他の製造工程の一部の説明図である。
【図１１】この発明に係る三笠鼻緒の製造のための他の器具の斜視図である。
【図１２】この発明に係る三笠鼻緒の製造のための他の器具の斜視図である。
【図１３】この発明に係る三笠鼻緒の製造用の器具の使用説明図である。
【図１４】この発明に係る三笠鼻緒の他のの製造装置用の他の器具の使用説明図である。
【図１５】この発明に係る三笠鼻緒本体の他の製造工程の説明図である。
【図１６】この発明に係る三笠鼻緒の他のの製造装置用の他の器具の使用説明図である。
【図１７】この発明に係る三笠鼻緒本体の他の製造工程の一部の説明図である。
【図１８】この発明に係る三笠鼻緒の他のの製造装置用の他の器具の使用説明図である。
【図１９】この発明に係る三笠鼻緒本体の他の製造工程の説明図である。
【図２０】この発明に係る三笠鼻緒本体の他の製造工程の一部の説明図である。
【符号の説明】
１  重ね鼻緒
１ａ  テープ
１ｂ  貫通孔
２  台鼻緒
２ａ  テープ
２ｂ  貫通孔
３  補助テープ
４  保形紙
５  紐
６  先緒
７  器具
８  貫通孔
９  筒
１０  貫通孔
１１  筒
１２  隔板
１３  隔板
１４  ミシン
１５  ミシン針
１６  布送り装置
１７  巻取りローラー
１８  巻取りローラー
１９  巻取りローラー
２０  切断装置
２１  テープ
２１ａ  縁部
２１ｂ  長手中央部
２１ｃ  翼部
２２  テープ
２２ａ  縁部
２３  縫糸
２４  テープ
２５  紐
２６  鼻緒本体
２７  先緒
２８  三笠鼻緒
２９  器具
３０  部材
３１  部材
３２  貫通孔
３３  貫通孔
３４  係止片
３５  器具
３６、３６ａ、３６ｂ  ローラー
３７、３７ａ  ミシン装置
３８、３８ａ  ミシン針
３９  布送り装置
４０  切断機
４１  テープ
４１ａ  長手縁部
４２  テープ
４２ａ  長手縁部
４２ｂ  膨出部
４２ｃ  翼部
４３  縫糸
４４  保形用テープ
４５  紐
４６  器具
４７  貫通孔
４８  貫通孔
４９  器具
５０  境界縁
５１  貫通孔合流部
５２  縫糸
５３  テープ
５４  紐
５５  器具
５６  貫通孔
５７  貫通孔
５８  係止片
【図１】
0003869546.tif 000002
【図２】
0003869546.tif 000003
【図３】
0003869546.tif 000004
【図４】
0003869546.tif 000005
【図５】
0003869546.tif 000006
【図６】
0003869546.tif 000007
【図７】
0003869546.tif 000008
【図８】
0003869546.tif 000009
【図９】
0003869546.tif 000010
【図１０】
0003869546.tif 000011
【図１１】
0003869546.tif 000012
【図１２】
0003869546.tif 000013
【図１３】
0003869546.tif 000014
【図１４】
0003869546.tif 000015
【図１５】
0003869546.tif 000016
【図１６】
0003869546.tif 000017
【図１７】
0003869546.tif 000018
【図１８】
0003869546.tif 000019
【図１９】
0003869546.tif 000020
【図２０】
0003869546.tif 000021